(57)【特許請求の範囲】
【請求項１】
撮影コーナー、前記撮影コーナーで撮影された画像データを管理するサーバ、前記画像データの印刷を受け付ける画像出力装置、およびユーザ端末がネットワークを介して接続される画像出力システムにおいて、
前記撮影コーナーは、
利用者が所有するＩＣカードの識別情報を読み取る第１のＩＣカード読取手段と、
前記利用者を撮影する撮影手段と、を備え、
前記サーバは、
前記撮影手段により撮影された前記画像データ、前記撮影コーナーの付加情報、および前記第１のＩＣカード読取手段により読み取られた前記識別情報の入力を制御する入力制御手段と、
前記付加情報を記憶する第１の記憶手段と、
前記第１の記憶手段に記憶された前記付加情報の保管場所を示すデータをコード化し、前記画像データにコードが埋め込まれたプリントデータを生成するコード化手段と、
前記コード化手段により生成された前記プリントデータを、前記識別情報に紐付けて記憶する第２の記憶手段と、を備え、
前記画像出力装置は、
前記利用者が所有する前記ＩＣカードの前記識別情報を読み取る第２のＩＣカード読取手段と、
前記第２のＩＣカード読取手段により読み取られた前記識別情報に対応する前記プリントデータを前記第２の記憶手段から取得する取得手段と、
前記取得手段により取得された前記プリントデータの印刷が指示された場合、印刷実行する印刷手段と、を備え、
前記ユーザ端末は、
前記印刷手段により印刷された印刷物上のコードを読み取るコード読取手段と、
前記コード読取手段により読み取られたコードに示された、前記付加情報の保管場所を示すデータに基づいて、前記第１の記憶手段にアクセスし、前記付加情報を受信し、出力する出力手段と、を備えることを特徴とする画像出力システム。
【請求項２】
前記画像出力装置は、
メッセージの選択を受け付けるメッセージ受付手段と、
前記メッセージ受付手段により受け付けられた前記メッセージおよび前記プリントデータを前記サーバに送信し、再生成される前記プリントデータの返送を要求する要求手段と、をさらに備え、
前記サーバの前記コード化手段は、
前記メッセージおよび前記プリントデータを受信すると、前記メッセージに予め対応付けられたコードを取得し、そのコードが前記画像データに埋め込まれた前記プリントデータを再生成し、前記画像出力装置に返送する
ことを特徴とする請求項１に記載の画像出力システム。
【請求項３】
撮影コーナー、前記撮影コーナーで撮影された画像データを管理するサーバ、前記画像データの印刷を受け付ける画像出力装置、およびユーザ端末がネットワークを介して接続される画像出力システムの画像出力方法において、
前記撮影コーナーは、
利用者が所有するＩＣカードの識別情報を読み取る第１のＩＣカード読取ステップと、
前記利用者を撮影する撮影ステップと、を含み、
前記サーバは、
前記撮影ステップで撮影された前記画像データ、前記撮影コーナーの付加情報、および前記第１のＩＣカード読取ステップで読み取られた前記識別情報の入力を制御する入力制御ステップと、
前記付加情報を記憶する第１の記憶ステップと、
前記第１の記憶ステップで記憶された前記付加情報の保管場所を示すデータをコード化し、前記画像データにコードが埋め込まれたプリントデータを生成するコード化ステップと、
前記コード化ステップで生成された前記プリントデータを、前記識別情報に紐付けて記憶する第２の記憶ステップと、を含み、
前記画像出力装置は、
前記利用者が所有する前記ＩＣカードの前記識別情報を読み取る第２のＩＣカード読取ステップと、
前記第２のＩＣカード読取ステップで読み取られた前記識別情報に対応する前記プリントデータを前記第２の記憶ステップで記憶された前記サーバから取得する取得ステップと、
前記取得ステップで取得された前記プリントデータの印刷が指示された場合、印刷実行する印刷ステップと、を含み、
前記ユーザ端末は、
前記印刷ステップで印刷された印刷物上のコードを読み取るコード読取ステップと、
前記コード読取ステップで読み取られたコードに示された、前記付加情報の保管場所を示すデータに基づいて、前記第１の記憶ステップで記憶された前記サーバにアクセスし、前記付加情報を受信し、出力する出力ステップと、を含むことを特徴とする画像出力方法。
【発明の詳細な説明】
【技術分野】
【０００１】
本発明は、画像データの印刷を行う画像出力システム等に関するものである。
【背景技術】
【０００２】
近年、利用者が所有する記憶媒体に記憶されている画像データの印刷を行う画像出力システムが広く普及している。利用者は、画像出力システムの画像出力受付端末を操作することにより、デジタルカメラ等で撮影した画像を印刷することができる。
【０００３】
例えば、特許文献１には、音声付き写真のプリントサービスが提案されている。
【先行技術文献】
【特許文献】
【０００４】
【特許文献１】特許第４１４４９３５号公報
【発明の概要】
【発明が解決しようとする課題】
【０００５】
ところで、テーマパークなどの観光地や遊園地などの乗り物には、写真を撮影するサービスがある。このような場所で撮影された写真を後で見るときに、撮影場所に関連した付加情報（例えば、ご当地情報、グルメ情報等）も一緒に見たいという要望がある。
【０００６】
本発明は、前述した問題点に鑑みてなされたもので、その目的とすることは、観光地や乗り物などで写真を撮影するサービスにおいて、写真とともに撮影場所に関連した付加情報も提供することが可能な画像出力システム等を提供することである。
【課題を解決するための手段】
【０００７】
前述した目的を達成するために、第１の発明は、撮影コーナー、前記撮影コーナーで撮影された画像データを管理するサーバ、前記画像データの印刷を受け付ける画像出力装置、およびユーザ端末がネットワークを介して接続される画像出力システムにおいて、前記撮影コーナーは、利用者が所有するＩＣカードの識別情報を読み取る第１のＩＣカード読取手段と、前記利用者を撮影する撮影手段と、を備え、前記サーバは、前記撮影手段により撮影された前記画像データ、前記撮影コーナーの付加情報、および前記第１のＩＣカード読取手段により読み取られた前記識別情報の入力を制御する入力制御手段と、前記付加情報を記憶する第１の記憶手段と、前記第１の記憶手段に記憶された前記付加情報の保管場所を示すデータをコード化し、前記画像データにコードが埋め込まれたプリントデータを生成するコード化手段と、前記コード化手段により生成された前記プリントデータを、前記識別情報に紐付けて記憶する第２の記憶手段と、を備え、前記画像出力装置は、前記利用者が所有する前記ＩＣカードの前記識別情報を読み取る第２のＩＣカード読取手段と、前記第２のＩＣカード読取手段により読み取られた前記識別情報に対応する前記プリントデータを前記第２の記憶手段から取得する取得手段と、前記取得手段により取得された前記プリントデータの印刷が指示された場合、印刷実行する印刷手段と、を備え、前記ユーザ端末は、前記印刷手段により印刷された印刷物上のコードを読み取るコード読取手段と、前記コード読取手段により読み取られたコードに示された、前記付加情報の保管場所を示すデータに基づいて、前記第１の記憶手段にアクセスし、前記付加情報を受信し、出力する出力手段と、を備えることを特徴とする画像出力システムである。第１の発明によって、観光地で写真を撮影するサービスにおいて、写真とともに撮影場所に関連した付加情報も提供することができる。
【０００８】
前記画像出力装置は、メッセージの選択を受け付けるメッセージ受付手段と、前記メッセージ受付手段により受け付けられた前記メッセージおよび前記プリントデータを前記サーバに送信し、再生成される前記プリントデータの返送を要求する要求手段と、をさらに備え、前記サーバの前記コード化手段は、前記メッセージおよび前記プリントデータを受信すると、前記メッセージに予め対応付けられたコードを取得し、そのコードが前記画像データに埋め込まれた前記プリントデータを再生成し、前記画像出力装置に返送する。これにより、付加情報として、メッセージを提供することもできる。
【０００９】
第２の発明は、撮影コーナー、前記撮影コーナーで撮影された画像データを管理するサーバ、前記画像データの印刷を受け付ける画像出力装置、およびユーザ端末がネットワークを介して接続される画像出力システムの画像出力方法において、前記撮影コーナーは、利用者が所有するＩＣカードの識別情報を読み取る第１のＩＣカード読取ステップと、前記利用者を撮影する撮影ステップと、を含み、前記サーバは、前記撮影ステップで撮影された前記画像データ、前記撮影コーナーの付加情報、および前記第１のＩＣカード読取ステップで読み取られた前記識別情報の入力を制御する入力制御ステップと、前記付加情報を記憶する第１の記憶ステップと、前記第１の記憶ステップで記憶された前記付加情報の保管場所を示すデータをコード化し、前記画像データにコードが埋め込まれたプリントデータを生成するコード化ステップと、前記コード化ステップで生成された前記プリントデータを、前記識別情報に紐付けて記憶する第２の記憶ステップと、を含み、前記画像出力装置は、前記利用者が所有する前記ＩＣカードの前記識別情報を読み取る第２のＩＣカード読取ステップと、前記第２のＩＣカード読取ステップで読み取られた前記識別情報に対応する前記プリントデータを前記第２の記憶ステップで記憶された前記サーバから取得する取得ステップと、前記取得ステップで取得された前記プリントデータの印刷が指示された場合、印刷実行する印刷ステップと、を含み、前記ユーザ端末は、前記印刷ステップで印刷された印刷物上のコードを読み取るコード読取ステップと、前記コード読取ステップで読み取られたコードに示された、前記付加情報の保管場所を示すデータに基づいて、前記第１の記憶ステップで記憶された前記サーバにアクセスし、前記付加情報を受信し、出力する出力ステップと、を含むことを特徴とする画像出力方法である。第２の発明によって、観光地で写真を撮影するサービスにおいて、写真とともに撮影場所に関連した付加情報も提供することができる。
【発明の効果】
【００１３】
本発明により、観光地や乗り物などで写真を撮影するサービスにおいて、写真とともに撮影場所に関連した付加情報も提供することが可能な画像出力システムおよび画像出力方法を提供することができる。
【図面の簡単な説明】
【００１４】
【図１】本発明の第１の実施の形態としての画像出力システムの構成例を示す図である。
【図２】図１の画像出力システムの電気的接続例を示す図である。
【図３】画像出力装置の外観斜視図である。
【図４】画像出力装置のハードウエアの構成例を示すブロック図である。
【図５】製本機のハードウエアの構成例を示すブロック図である。
【図６】画像出力装置のコンピュータの機能構成例を示すブロック図である。
【図７】サーバの機能構成例を示すブロック図である。
【図８】入口での処理を説明するフローチャートである。
【図９】撮影コーナーでの処理を説明するフローチャートである。
【図１０】出口での処理を説明するフローチャートである。
【図１１】プリント後の処理を説明するフローチャートである。
【図１２】第２の実施の形態としての画像出力システムの構成例を示す図である。
【図１３】図１２の画像出力システムの電気的接続例を示す図である。
【図１４】サーバ２の機能構成例を示すブロック図である。
【図１５】乗車中の処理を説明するフローチャートである。
【図１６】降車口での処理を説明するフローチャートである。
【図１７】プリント後の処理を説明するフローチャートである。
【発明を実施するための形態】
【００１５】
以下、図面に基づいて、本発明の実施形態を詳細に説明する。
【００１６】
［第１の実施の形態］
図１は、本発明の第１の実施の形態としての画像出力システムの構成例を示す図である。図２は、図１の画像出力システムの電気的接続例を示す図である。
【００１７】
図１および図２に示すように、画像出力システムは、入口１０、第１撮影コーナー２０−１、第２撮影コーナー２０−２、・・・第ｎ撮影コーナー２０−ｎ、および出口３０内にそれぞれ設置される各装置、並びに、サーバ４０およびユーザ端末５０が、ネットワーク６０を介して接続されることで構成されている。入口１０乃至出口３０は、テーマパーク１内に設置されており、サーバ４０は、ネットワーク６０を介して遠隔地に設置してもよいし、テーマパーク１内の管理事務所等に設置してもよい。
【００１８】
入口１０は、入口端末１１およびＩＣカード発行装置１２から構成されている。入口端末１１は、ＣＰＵ（Central Processing Unit）、ＲＯＭ（Read Only
Memory）、ＲＡＭ（Random Access Memory）、ＨＤＤ（Hard Disc Drive）等からなるコンピュータであり、テーマパーク１内に入場するための入場券の発券処理を行う。ＩＣカード発行装置１２は、ＣＰＵ、ＲＯＭ、ＲＡＭ、ＨＤＤ、ＩＣカード発行処理部等からなるコンピュータであり、入口端末１１で発券処理が行われた後、ＩＣカードを発行する。入口端末１１は、ＩＣカード発行装置１２で発行されたＩＣカードの識別情報を取得し、ネットワーク６０を介してサーバ４０に送信する。
【００１９】
第１撮影コーナー２０−１は、第１アトラクションの所定位置に設けられており、第１ＩＣカード読取装置２１−１、第１撮影端末２２−１、および第１撮影装置２３−１から構成されている。
【００２０】
第１ＩＣカード読取装置２１−１は、入口１０のＩＣカード発行装置１２で発行されたＩＣカードが利用者（所有者）によってかざされた場合、ＩＣカードの識別番号を読み取り、読み取った識別番号を第１撮影端末２２−１に送信する。
【００２１】
第１撮影端末２２−１は、ＣＰＵ、ＲＯＭ、ＲＡＭ、ＨＤＤ等からなるコンピュータであり、第１撮影装置２３−１全体の動作を制御する。例えば、ＣＰＵは、利用者からの操作により撮影指示を検知すると、第１撮影装置２３−１を制御し、利用者を撮影させる。また第１撮影端末２２−１は、第１撮影装置２３−１で撮影された画像をＨＤＤに記憶するとともに、その撮影画像を、第１ＩＤカード読取装置２１−１から取得した識別番号、および第１撮影コーナーの付加情報とともに、ネットワーク６０を介してサーバ４０に送信する。
【００２２】
付加情報は、撮影場所（第１アトラクション）の情報であって、第１撮影端末２２−１が予め記憶している。
【００２３】
第１撮影装置２３−１は、デジタルスチルカメラ、デジタルビデオカメラ等の静止画の撮影機能を有する装置であって、ＣＭＯＳ(Complementary Metal Oxide Semiconductor)センサ、メモリ、および画像処理部等から構成される。
【００２４】
例えば、ＣＭＯＳセンサは、第１撮影端末２２−１の制御の下、レンズにより取り込まれた光の光電変換を行い、光電変換によって得られた画像信号のＡ／Ｄ(Analog/Digital)変換を行い、Ａ／Ｄ変換によって得られた画像データをメモリに記憶させる。画像処理部は、メモリに記憶された画像データを読み出し、所定の画像処理を実行した後、第１撮影端末２２−１のＨＤＤに撮影画像として記憶させる。
【００２５】
第２撮影コーナー２０−２乃至第ｎ撮影コーナー２０−ｎは、第１撮影コーナー２０−１と同様の構成であるため、その説明は省略する。なお、第１撮影コーナー２０−１乃至第ｎ撮影コーナー２０−ｎを個々に区別する必要がない場合、単に撮影コーナー２０と記載する。また、第１ＩＣカード読取装置２１−１乃至第ｎＩＣカード読取装置２１−ｎ、第１撮影端末２２−１乃至第ｎ撮影端末２２−ｎ、第１撮影装置２３−１乃至第ｎ撮影装置２３−ｎを、それぞれ個々に区別する必要がない場合、単に、ＩＣカード読取装置２１、撮影端末２２、撮影装置２３と記載する。
【００２６】
出口３０は、ＩＣカード読取装置３１および画像出力装置３２から構成されている。ＩＣカード読取装置３１は、入口１０のＩＣカード発行装置１２で発行されたＩＣカードが利用者によってかざされた場合、ＩＣカードの識別番号を読み取り、読み取った識別番号を画像出力装置３２に送信する。
【００２７】
画像出力装置３２は、ＩＣカード読取装置３１から取得した識別番号をサーバ４０に送信し、識別番号に対応するプリントデータの返送を要求する。画像出力装置３２は、サーバ４０から受信したプリントデータの一覧画面を表示する。画像出力装置３２は、プリントデータの一覧画面の中から印刷注文を受け付け、印刷を行う。また画像出力装置３２は、プリントデータに対してメッセージを埋め込むことが指示された場合、選択されたプリントデータをメッセージとともにネットワーク６０を介してサーバ４０に送信し、サーバ４０にてメッセージが埋め込まれ、再生成されたプリントデータを受信し、印刷を行う。
【００２８】
本実施の形態において、画像出力装置３２で実施される印刷注文の内容には、「通常印刷」と「フォトブック」の２種類がある。「通常印刷」は、熱転写方式などで片面または両面に印画した用紙を出力する（通常の画像印刷を行う）ものである。「フォトブック」は、画像やテキストを熱転写方式などで片面または両面に印画した複数の用紙を用いて製本を行い、製本物を出力（提供）するものである。
【００２９】
サーバ４０は、ＣＰＵ、ＲＯＭ、ＲＡＭ、ＨＤＤ等からなるコンピュータであり、入口１０の入口端末１１から識別情報を受信すると、その識別情報に対応する撮影画像を記憶するための画像記憶領域をＨＤＤ内に確保する。サーバ４０は、撮影端末２２からネットワーク６０を介して、撮影画像、付加情報、および識別情報を受信する。サーバ４０は、撮影端末２２から受信した付加情報をＨＤＤに記憶するとともに、付加情報の保管場所を示すデータ（例えば、ＵＲＬ（Uniform Resource Locator））をコード化し、そのコードを撮影画像に電子透かしとして埋め込んだプリントデータを生成し、それを識別情報に紐付けてＨＤＤに記憶する。
【００３０】
サーバ４０は、画像出力装置３２からネットワーク６０を介して識別情報を受信すると、対応するプリントデータを検索し、画像出力装置３２に返送する。またサーバ４０は、画像出力装置３２からネットワーク６０を介してプリントデータとメッセージが返送された場合、予め記憶しているメッセージに対応するコードを読み出し、それを撮影画像に電子透かしとして埋め込んだプリントデータを再生成し、画像出力装置３２に返送する。
【００３１】
ユーザ端末５０は、ＣＰＵ、ＲＯＭ、ＲＡＭ、ＨＤＤ、入力部、および表示画面などを実装した携帯型コンピュータであって、例えば、スマートフォン、iPhone（登録商標）、カメラ付き携帯電話機、ipad（登録商標）等である。ユーザ端末５０は、画像出力装置３２から提供された印刷物上の電子透かしを読み取り、読み取ったコードに示された保管場所を示すデータ（例えば、ＵＲＬ）に基づいて、ネットワーク６０を介してサーバ４０にアクセスし、付加情報を受信し、出力する。
【００３２】
ネットワーク６０は、インターネットやローカルエリアネットワーク（ＬＡＮ）等のネットワークであり、有線、無線は特に問わない。
【００３３】
図３は、画像出力装置３２の外観斜視図である。
【００３４】
画像出力装置３２の上部正面には、タッチパネル付ディスプレイ１１１が配置されている。タッチパネル付ディスプレイ１１１は、操作の案内、操作の状況、読み込んだ画像データ等を表示するとともに、利用者からの指示を受け付ける。利用者は、タッチパネル付ディスプレイ１１１を介して、印刷注文する画像データの選択、画像データの画像処理の指示等を行う。
【００３５】
タッチパネル付ディスプレイ１１１の下部には、メディア投入口１１２および通信口１１３が設けられている。メディア投入口１１２は、各メディア（記憶媒体６）の挿入口であり、複数の挿入口が１箇所にまとめて配置されている。通信口１１３は、ユーザ端末５０と通信を行うための通信ポートであり、複数の通信ポート（赤外線ポートやＵＳＢ（Universal Serial Bus）ポートなど）が１箇所にまとめて配置されている。
【００３６】
画像出力装置３２の下段部の前面板１１４には、レシート取出口１１５、硬貨投入口１１６および紙幣挿入口１１７のような料金投入口、つり銭返却口１１８、印刷物取出口１１９、ドア開閉キー１２０、メンテナンスキー１２１等が設けられている。
【００３７】
レシート取出口１１５、硬貨投入口１１６、紙幣挿入口１１７、つり銭返却口１１８は、利用者による印刷物の注文内容に応じた入金を要求する課金手段として機能する。利用者は、硬貨投入口１１６に硬貨を投入したり、紙幣挿入口１１７に紙幣を挿入したりすることにより、印刷物の料金を支払う。つり銭がある場合には、つり銭返却口１１８から放出される。また、料金徴収後、徴収金額や注文内容等が印刷されたレシートがレシート取出口１１５から放出される。
【００３８】
印刷物取出口１１９には、画像出力装置３２の筐体内に設置されるプリンタにより印刷された印刷物が排出される。ドア開閉キー１２０は、画像出力装置３２の前面板１１４を開閉するためのキーである。メンテナンスキー１２１は、利用者が画像出力装置３２を利用可能な運転モードと、管理者が画像出力装置３２のメンテナンスや設定、レシートの再印刷等を行う管理モードを切り替えるためのキーである。
【００３９】
図４は、画像出力装置３２のハードウエアの構成例を示すブロック図である。
【００４０】
コンピュータ１３０は、制御部１３１、記憶部１３２、入出力部１３３、通信部１３４等から構成され、各種メディア読取部１４１、通信部１４２、シャッタ１４３、モニタ１４４、コインメック１４５、ビルバリ１４６、レシートジャーナル処理部１４７、およびプリンタ１４８、および製本機１５０を制御する。
【００４１】
制御部１３１は、プログラムの実行を行うＣＰＵと、プログラム命令あるいはデータ等を格納するためのＲＡＭ、ＲＯＭ等で構成される。制御部１３１は、記憶部１３２等に格納されたプログラムに従って、バス１３５を介して接続された各装置を制御する。
【００４２】
記憶部１３２には、制御部１３１が実行するプログラム、プログラム実行に必要なデータ、ＯＳ（Operating System）等が格納される。プログラムは、例えば、画像入力プログラム、課金処理プログラム、レシート印刷処理プログラム、保守プログラム等である。データは、例えば、画像データや印刷データ等である。
【００４３】
プログラムのコードは、制御部１３１により必要に応じて読み出され、ＲＡＭに移され、ＣＰＵに読み出されて各種機能として実行される。
【００４４】
入出力部１３３は、記憶部１３２に格納されているプログラム等の更新や、画像出力装置３２の設定等を行うメンテナンス時に用いられる。
【００４５】
通信部１３４は、通信制御装置、通信ポート等を有し、画像出力装置３２とネットワーク６０間の通信を媒介する通信インターフェースである。通信部１３４は、ネットワーク６０を介して画像出力装置３２と他の外部装置間の通信制御を行う。
【００４６】
各種メディア読取部１４１は、メディア投入口１１２の各メディアの挿入口に対応して画像出力装置３２内部に設けられ、挿入された記憶媒体に予め記憶されている画像データを読み込む。通信部１４２は、通信口１１３の各通信ポートに対応して設置されており、通信中のユーザ端末５０に予め記憶されている画像データを読み込む。
【００４７】
シャッタ１４３は、メディア投入口１１２の各挿入口に設けられ、入力メディアの挿入口を開閉し、読取処理の最中や、課金処理が完了するまで、記憶媒体を取り出せないようにする。モニタ１４４は、タッチパネル付ディスプレイ１１１である。
【００４８】
コインメック１４５、ビルバリ１４６、レシートジャーナル処理部１４７は、課金機能の役割を果たす。コインメック１４５は、硬貨投入口１１６に対応して画像出力装置３２内部に設けられ、硬貨の入出力を管理する。ビルバリ１４６は、紙幣挿入口１１７に対応して画像出力装置３２内部に設けられ、紙幣の入出力を管理する。
【００４９】
レシートジャーナル処理部１４７は、レシート取出口１１５に対応して画像出力装置３２内部に設けられ、利用者の徴収金額や注文内容に応じたレシートを印刷する。
【００５０】
プリンタ１４８は、印刷物取出口１１９に対応して画像出力装置３２内部に設けられ、印刷物を印刷する。プリンタ１４８は、画像データを印刷する高解像度カラープリンタであり、熱転写プリンタあるいはインクジェット型など、プリンタの方式は特に問わない。印刷を行うべく紙は、シート状またはロール状である。
【００５１】
製本機１５０は、ローラや搬送路等を有し、プリンタ１４８で印刷された印刷物を所定の製本方法で製本しフォトブック等の製本物を作成して出力する。
【００５２】
図５は、製本機１５０のハードウエアの構成例を示すブロック図である。
【００５３】
製本機１５０は、印刷物を折りたたむ折り機構１５１、印刷物をホチキスや製本テープ、背表紙、糊等で綴じる綴じ機構１５２、印刷物を化粧断裁する裁断機構１５３等を備えるものを用いることができる。これらの機構としては、既知のものを使用できる。フォトブックの製本方法の詳細については、特開２０１０−１３７５６４号公報等に記載されている通り公知の技術である。
【００５４】
図６は、画像出力装置３２内のコンピュータ１３０の機能構成例を示すブロック図である。図６に示す機能部のうちの少なくとも一部は、図４の制御部１３１により画像印刷プログラムが実行されることによって実現される。
【００５５】
画像取得部１６１は、ＩＣカード読取装置３１から取得した識別情報をサーバ４０に送信し、識別情報に対応するプリントデータの返送を要求する。画像取得部１６１は、サーバ４０からネットワーク６０を介して返送されてきたプリントデータを取得する。また画像取得部１６１は、メッセージ受付部１６４でメッセージの選択を受け付けると、選択メッセージと対応するプリントデータをサーバ４０に転送し、サーバ４０にて電子透かしとしてメッセージが埋め込まれ、再生成されたプリントデータを、ネットワーク６０を介して取得する。
【００５６】
表示制御部１６２は、画像取得部１６１で取得されたプリントデータの一覧画面等のモニタ１４４上への表示を制御する。画像受付部１６３は、モニタ１４４に表示されているプリントデータの一覧画面において、利用者による画像の選択を受け付ける。メッセージ受付部１６４は、モニタ１４４に表示されているメッセージ選択画面において、利用者により、プリントデータに電子透かしとして埋め込むメッセージの選択を受け付ける。
【００５７】
課金部１６５は、印刷注文に応じた料金を算出し、その算出結果をモニタ１４４に表示させ、利用者に支払いを要求する。また課金部１６５は、コインメック１４５やビルバリ１４６の金銭の入出力を管理する。印刷実行部１６６は、課金部１６５によって課金処理が完了すると、画像受付部１６３で受け付けた印刷対象のプリントデータの印刷を実行する。
【００５８】
図７は、サーバ４０の機能構成例を示すブロック図である。図７に示す機能部のうちの少なくとも一部は、サーバ４０のＣＰＵにより画像管理プログラムが実行されることによって実現される。
【００５９】
入力制御部１８１は、撮影端末２２からネットワーク６０を介して送信されてくる撮影画像、撮影場所（アトラクション）の付加情報、およびＩＣカードの識別情報の入力を制御する。画像管理部１８２は、大容量のＨＤＤであり、入力制御部１８１に入力された付加情報を管理するとともに、後述するコード化部１８３によって生成されるプリントデータを識別情報に紐付けて管理する。
【００６０】
コード化部１８３は、画像管理部１８２に記憶された付加情報の保管場所を示すデータをコード化し、そのコードを、入力制御部１８１に入力された撮影画像に電子透かしとして埋め込み、プリントデータを生成する。電子透かしを埋め込む技術については、様々な手法が提案されており、公知の技術である。また電子透かしは、不可視、可視のいずれでもよい。また電子透かしに代えて、ＱＲコード（登録商標）やウォーターマーク（透かしラミネーション）でもよい。
【００６１】
コード化部１８３は、画像出力装置３２からプリントデータとメッセージが返送された場合、メッセージを示すコードを撮影画像に電子透かしとして埋め込み、プリントデータを再生成する。なお、画像管理部１８２には、メッセージとメッセージを示すコードが予め対応付けられて記憶されている。
【００６２】
図８は、入口１０での処理を説明するフローチャートである。
【００６３】
ステップＳ１において、入口端末１１は、利用者による操作に応じて入場券の発券処理を行い、発券処理が終了したことをＩＣカード発行装置１２に通知する。ステップＳ２において、ＩＣカード発行装置１２は、利用者に対して、識別情報を記憶したＩＣカードを発行する。発行されるＩＣカードは、利用者毎またはグループ毎のいずれでも良い。ステップＳ３において、ＩＣカード発行装置１２は、ステップＳ２の処理で発行したＩＣカードの識別情報を入口端末１１に通知する。
【００６４】
ステップＳ４において、入口端末１１は、ＩＣカード発行装置１２から通知されたＩＣカードの識別情報を、ネットワーク６０を介してサーバ４０に送信する。ステップＳ５において、サーバ４０の画像管理部１８２は、入口端末１１から送信されてきたＩＣカードの識別情報を記憶する。
【００６５】
図９は、撮影コーナー２０での処理を説明するフローチャートである。
【００６６】
利用者は、アトラクションを利用する際に、撮影コーナー２０のＩＣカード読取装置２１にＩＣカードをかざす。ステップＳ１１において、ＩＣカード読取装置２１は、利用者によってかざされたＩＣカードの識別情報を読み取る。ステップＳ１２において、ＩＣカード読取装置２１は、ステップＳ１１で読み取ったＩＣカードの識別情報を撮影端末２２に送信する。
【００６７】
撮影端末２２は、ＩＣカード読取装置２１からＩＣカードの識別情報を受信し、ステップＳ１３において、利用者からの指示に応じて、撮影装置２３に撮影開始を指示する。ステップＳ１４において、撮影装置２３は、撮影端末２２の指示に基づいて利用者を撮影し、ステップＳ１５において、撮影画像を撮影端末２２に送信する。
【００６８】
ステップＳ１６において、撮影端末２２は、ＩＣカード読取装置２１から送信されたＩＣカードの識別情報、撮影装置２３から送信された撮影画像、および、撮影端末２２が予め記憶する付加情報（撮影コーナー２０に関する情報やアトラクション情報等）を、ネットワーク６０を介してサーバ４０に送信する。
【００６９】
ステップＳ１７において、サーバ４０の画像管理部１８２は、入力制御部１８１を介して入力された付加情報を記憶し、付加情報の保管場所を示すデータを生成する。ステップＳ１８において、サーバ４０のコード化部１８３は、ステップＳ１７で生成した付加情報の保管場所を示すデータをコード化する。ステップＳ１９において、サーバ４０のコード化部１８３は、ステップＳ１８で生成したコードを撮影画像に電子透かしとして埋め込み、プリントデータを生成する。ステップＳ２０において、サーバ４０の画像管理部１８２は、ＩＣカードの識別情報に紐付けて、ステップＳ１９で生成したプリントデータを記憶する。
【００７０】
図１０は、出口３０での処理を説明するフローチャートである。
【００７１】
利用者は、出口３０に設置されたＩＣカード読取装置３１にＩＣカードをかざす。ステップＳ３１において、ＩＣカード読取装置３１は、利用者によってかざされたＩＣカードの識別情報を読み取る。ステップＳ３２において、ＩＣカード読取装置３１は、ステップＳ３１で読み取ったＩＣカードの識別情報を画像出力装置３２に送信する。
【００７２】
ステップＳ３３において、画像出力装置３２の画像取得部１６１は、ＩＣカード読取装置３１から受信したＩＣカードの識別情報を、ネットワーク６０を介してサーバ４０に送信し、対応するプリントデータの返送を要求する。ステップＳ３４において、サーバ４０の画像管理部１８２は、画像出力装置３２から受信したＩＣカードの識別情報に基づいて、対応するプリントデータを検索し、ステップＳ３５において、検索したプリントデータを画像出力装置３２に送信する。
【００７３】
ステップＳ３６において、画像出力装置３２の表示制御部１６２は、画像取得部１６１がサーバ４０から取得したプリントデータの一覧画面（図示せず）をタッチディスプレイ１２２に表示する。ステップＳ３７において、画像出力装置３２の画像受付部１６３は、プリントデータの一覧画面上で、利用者からプリントする画像の選択を受け付ける。なお、利用者がプリントサービスを利用しない場合には、画像を選択せず、そのまま処理は終了される。
【００７４】
ステップＳ３８において、画像出力装置３２のメッセージ受付部１６４は、メッセージの選択画面（図示せず）を表示させ、ステップＳ３７で選択した画像にメッセージを埋め込むか否かの選択を受け付ける。メッセージには、例えば、「おめでとう」、「ありがとう」、または「大好き」などがある。ステップＳ３８において、画像出力装置３２のメッセージ受付部１６４は、利用者からメッセージを埋め込むことを受け付けた場合、ステップＳ３９に進み、メッセージを埋め込むことを受け付けなかった場合、ステップＳ４１に進む。
【００７５】
ステップＳ３９において、画像出力装置３２の制御部１３１は、受け付けたメッセージと選択されたプリントデータを、通信部１３４およびネットワーク６０を介してサーバ４０に送信する。
【００７６】
ステップＳ４０において、サーバ４０のコード化部１８３は、画像出力装置３２からメッセージを受信すると、そのメッセージに対応するコードを画像管理部１８２から読み出し、撮影画像に読み出したコードを電子透かしとして埋め込み、プリントデータを再生成する。ステップＳ４１において、サーバ４０のＣＰＵは、ステップＳ４０で再生成したプリントデータを、ネットワーク６０を介して画像出力装置３２に送信する。
【００７７】
ステップＳ４２において、画像出力装置３２の印刷実行部１６６は、プリントデータをプリンタ１４８に送信し、印刷を実行する。印刷された印刷物は、印刷物取出口１１９から排出され、利用者に提供される。印刷物は、１枚ずつ提供してもよいし、フォトブックとして製本してから提供してもよい。
【００７８】
図１１は、プリント後の処理を説明するフローチャートである。
【００７９】
ステップＳ５１において、ユーザ端末５０のＣＰＵは、利用者からの指示に応じて、印刷物上の電子透かしを読み取る。ステップＳ５２において、ユーザ端末５０のＣＰＵは、ステップＳ５１で読み取ったコードの内容が付加情報の保管場所を示すものであると判定した場合、ステップＳ５３に進み、そのコードが示すＵＲＬにネットワーク６０を介してアクセスする。
【００８０】
ステップＳ５４において、サーバ４０の画像管理部１８２は、ユーザ端末５０からのアクセスに応じて、対応する付加情報を読み出し、ネットワーク６０を介してユーザ端末５０に送信する。ステップＳ５５において、ユーザ端末５０のＣＰＵは、サーバ４０から付加情報を受信し、表示画面に出力（再生、表示）する。
【００８１】
ステップＳ５２において、ユーザ端末５０のＣＰＵは、ステップＳ５１で読み取ったコードの内容がメッセージを示すものであると判定した場合、ステップＳ５６に進む。ステップＳ５６において、ユーザ端末５０のＣＰＵは、コードに対応するメッセージを読み出し、表示画面に出力（再生、表示）する。なお、ユーザ端末５０には、専用アプリケーションがインストールされており、メッセージとメッセージを示すコードが予め対応付けられて記憶されている。
【００８２】
［本発明の第１の実施の形態における効果］
１．各アトラクションの撮影コーナーで撮影された画像をＩＣカードの識別情報で管理し、そのＩＣカードの所有者がテーマパークから退場する際、識別情報に紐付けて記憶されている画像群を読み出し、プリントサービスを提供することができる。
２．またアトラクションの付加情報の保管場所を示すデータをコード化し、プリント選択された撮影画像に電子透かしとして埋め込むことで、または、選択されたメッセージに対応するコードをプリント選択された撮影画像に電子透かしとして埋め込むことにより、印刷物に付加価値情報を加味することができる。
３．利用者は、印刷物上の電子透かしを読み取ることにより、読み取ったコードが示すＵＲＬにアクセスし、付加情報を取得し、出力することができる。また、利用者は、読み取ったコードに対応するメッセージを取得し、出力することもできる。
４．以上においては、テーマパークを例に説明したが、これに限らず、例えば、街全体に撮影コーナーを設置した場合、その付加情報は、ご当地情報、グルメ情報、クーポン情報などにすることができる。また例えば、イベント会場に撮影コーナーを設置した場合、その付加情報は、イベント特典映像、ノベルティコンテンツなどにすることができる。
【００８３】
［第２の実施の形態］
図１２は、第２の実施の形態としての画像出力システムの構成例を示す図である。図１３は、図１２の画像出力システムの電気的接続例を示す図である。
【００８４】
図１２および図１３に示すように、画像出力システムは、乗車口２００、乗り物２１０、および降車口２２０内にそれぞれ設置される各装置、並びに、サーバ２３０およびユーザ端末２４０が、ネットワーク２５０を介して接続されることで構成されている。乗り物２１０内は、第１座席２１１−１、第２座席２１１−２、・・・第ｎ座席２１１−ｎから構成されている。
【００８５】
乗車口２００は、利用者が乗り物２１０内に搭乗するための入口であり、そこには、搭乗者を検知するためのセンサ２０１が設置されている。乗り物２１０内には、第１座席２１１−１、第２座席２１１−２、・・・第ｎ座席２１１−ｎが設けられており、各座席には、それぞれ、第１動画撮影装置２１２−１、第２動画撮影装置２１２−２、・・・第ｎ動画撮影装置２１２−ｎが設置されている。第１動画撮影装置２１２−１乃至第ｎ動画撮影装置２１２−ｎは、デジタルスチルカメラ、デジタルビデオカメラ等の動画の撮影機能を有する装置であって、ＣＭＯＳセンサ、メモリ、および画像処理部等から構成される。
【００８６】
なお、第１座席２１１−１乃至第ｎ座席２１１−ｎを個々に区別する必要がない場合、単に座席２１１と記載する。また、第１動画撮影装置２１２−１乃至第ｎ動画撮影装置２１２−ｎを、個々に区別する必要がない場合、単に、動画撮影装置２１２と記載する。
【００８７】
降車口２２０は、搭乗者が乗り物２１０から降車するための出口であって、そこには、画像出力装置２２１が設置されている。
【００８８】
画像出力装置２２１は、サーバ２３０からネットワーク２５０を介してプリントデータを受信し、その一覧画面を表示する。画像出力装置２２１は、プリントデータの一覧画面の中から印刷注文を受け付け、印刷を行う。また画像出力装置２２１は、プリントデータに対してメッセージを埋め込むことが指示された場合、選択されたプリントデータをメッセージとともにネットワーク２５０を介してサーバ２３０に送信し、サーバ２３０にてメッセージが埋め込まれ、再生成されたプリントデータを受信し、印刷を行う。
【００８９】
サーバ２３０は、ＣＰＵ、ＲＯＭ、ＲＡＭ、ＨＤＤ等からなるコンピュータであり、動画撮影装置２１２から受信した動画データから静止画像を切り出し、動画データとともにＨＤＤに記憶する。サーバ２３０は、動画データの保管場所を示すデータ（例えば、ＵＲＬ）をコード化し、そのコードを静止画像に電子透かしとして埋め込んだプリントデータを生成する。
【００９０】
サーバ２３０は、画像出力装置２２１からの要求に応じて、動画データの保管場所を示すデータが埋め込まれたプリントデータを返送する。またサーバ２３０は、画像出力装置２２１からネットワーク２５０を介してプリントデータとメッセージが返送された場合、メッセージを示すコードを静止画像に電子透かしとして埋め込んだプリントデータを再生成し、画像出力装置３２に返送する。
【００９１】
ユーザ端末２４０は、ＣＰＵ、ＲＯＭ、ＲＡＭ、ＨＤＤ、入力部、および表示画面などを実装した携帯型コンピュータであって、例えば、スマートフォン、iPhone（登録商標）、カメラ付き携帯電話機、ipad（登録商標）等である。ユーザ端末２４０は、画像出力装置２２１から提供された印刷物上の電子透かしを読み取り、読み取ったコードに示された保管場所を示すデータ（例えば、ＵＲＬ）に基づいて、ネットワーク２５０を介してサーバ２３０にアクセスし、動画データを受信し、出力する。
【００９２】
ネットワーク２５０は、インターネットやＬＡＮ等のネットワークであり、有線、無線は特に問わない。
【００９３】
画像出力装置２２１は、第１の実施の形態における画像出力装置３２と同様の構成及び機能であり、その説明は省略する。
【００９４】
図１４は、サーバ２３０の機能構成例を示すブロック図である。図１４に示す機能部のうちの少なくとも一部は、サーバ２３０のＣＰＵにより画像管理プログラムが実行されることによって実現される。
【００９５】
入力制御部２６１は、動画撮影装置２１２から送信されてくる動画データの入力を制御する。静止画像切り出し部２６２は、入力制御部２６１に入力された動画データから静止画像を切り出す。
【００９６】
ここで、動画データから静止画像を切り出す方法について説明する。まず、動画データの場面が大きく変化する部分（カットまたはカットブレイクという）を検出し、検出したカット毎に動画データを分割する。カット検出は、隣り合うフレーム間の画像をＭ×Ｎの格子（長方形領域）に区分し、長方形領域ごとの画素値の平均を求め、その平均値の差の絶対値を用いて行うことができ、差の絶対値が大きいとき、その場所がカットであると判定する。そして、カットとカットの間をショットといい、ショット毎に分割したものを動画ブロックという。そして、分割した動画ブロック毎に、各動画ブロックに含まれる複数の静止画像の中から代表画像を決定する。代表画像は、動画ブロックの最初又は最後の画像（分割基準に当てはまる画像）、あるいは、動画ブロックの時間的に真ん中の画像等が考えられる。このようにして、動画データから静止画像が切り出される。
【００９７】
画像管理部２６３は、大容量のＨＤＤであり、入力制御部２６１に入力された動画像データ、静止画像切り出し部２６２によって切り出された静止画像を管理するとともに、後述するコード化部２６４によって生成されるプリントデータを管理する。
【００９８】
コード化部２６４は、画像管理部２６３に記憶された動画データの保管場所を示すデータをコード化し、そのコードを、静止画像切り出し部２６２によって切り出された静止画像に電子透かしとして埋め込み、プリントデータを生成する。電子透かしを埋め込む技術については、様々な手法が提案されており、公知の技術である。また電子透かしは、不可視、可視のいずれでもよい。また電子透かしに代えて、ＱＲコード（登録商標）やウォーターマーク（透かしラミネーション）でもよい。
【００９９】
コード化部２６４は、画像出力装置２２１からプリントデータとメッセージが返送された場合、メッセージを示すコードを静止画像に電子透かしとして埋め込み、プリントデータを再生成する。なお、画像管理部２６３には、メッセージとメッセージを示すコードが予め対応付けられて記憶されている。
【０１００】
図１５は、乗り物２１０に乗車中の処理を説明するフローチャートである。
【０１０１】
乗車口２００のセンサ２０１は、利用者が乗り物２１０に搭乗したことを検知すると、ステップＳ１０１において、動画撮影装置２１２は、搭乗者の動画像を撮影し、ステップＳ１０２において、その動画データを、ネットワーク２５０を介してサーバ２３０に送信する。
【０１０２】
ステップＳ１０３において、サーバ２３０の静止画像切り出し部２６２は、入力制御部２６１に入力された動画データから静止画像を切り出す。ステップＳ１０４において、サーバ２３０の画像管理部２６３は、入力制御部２６１に入力された動画データ、および、ステップＳ１０３で動画データから切り出された静止画像を記憶する。
【０１０３】
ステップＳ１０５において、サーバ２３０のコード化部２６４は、画像管理部２６３に記憶された動画データの保管場所を示すデータを生成する。ステップＳ１０６において、サーバ２３０のコード化部２６４は、ステップＳ１０５で生成した動画データの保管場所を示すデータをコード化する。ステップＳ１０７において、サーバ２３０のコード化部２６４は、ステップＳ１０６で生成したコードを静止画像に電子透かしとして埋め込み、プリントデータを生成する。ステップＳ１０８において、サーバ２３０のＣＰＵは、ステップＳ１０７で生成したプリントデータを、ネットワーク２５０を介して画像出力装置２２１に送信する。
【０１０４】
図１６は、降車口２２０での処理を説明するフローチャートである。
【０１０５】
ステップＳ１１１において、画像出力装置２２１の表示制御部１６２は、画像取得部１６１がサーバ２３０から受信したプリントデータの一覧画面（図示せず）をタッチディスプレイ１２２に表示する。ステップＳ１１２において、画像出力装置２２１の画像受付部１６３は、プリントデータの一覧画面上で、利用者からプリントする画像の選択を受け付ける。なお、利用者がプリントサービスを利用しない場合には、画像を選択せず、そのまま処理は終了される。
【０１０６】
ステップＳ１１３において、画像出力装置２２１のメッセージ受付部１６４は、メッセージの選択画面（図示せず）を表示させ、ステップＳ１１２で選択した画像にメッセージを埋め込むか否かの選択を受け付ける。ステップＳ１１３において、画像出力装置２２１のメッセージ受付部１６４は、利用者からメッセージを埋め込むことを受け付けた場合、ステップＳ１１４に進み、メッセージを埋め込むことを受け付けなかった場合、ステップＳ１１７に進む。
【０１０７】
ステップＳ１１４において、画像出力装置２２１の制御部１３１は、受け付けたメッセージと選択されたプリントデータを、通信部１３４およびネットワーク２５０を介してサーバ２３０に送信する。
【０１０８】
ステップＳ１１５において、サーバ２３０のコード化部２６４は、画像出力装置２２１からメッセージを受信すると、そのメッセージに対応するコードを画像管理部２６３から読み出し、静止画像に読み出したコードを電子透かしとして埋め込み、プリントデータを再生成する。ステップＳ１１６において、サーバ２３０のＣＰＵは、ステップＳ１１５で再生成したプリントデータを、ネットワーク２５０を介して画像出力装置２２１に送信する。
【０１０９】
ステップＳ１１７において、画像出力装置２２１の印刷実行部１６６は、プリントデータをプリンタ１４８に送信し、印刷を実行する。印刷された印刷物は、印刷物取出口１１９から排出され、利用者に提供される。印刷物は、１枚ずつ提供してもよいし、フォトブックとして製本してから提供してもよい。
【０１１０】
図１７は、プリント後の処理を説明するフローチャートである。
【０１１１】
ステップＳ１２１において、ユーザ端末２４０のＣＰＵは、利用者からの指示に応じて、印刷物上の電子透かしを読み取る。ステップＳ１２２において、ユーザ端末２４０のＣＰＵは、ステップＳ１２１で読み取ったコードの内容が動画データの保管場所を示すものであると判定した場合、ステップＳ１２３に進み、そのコードが示すＵＲＬにネットワーク２５０を介してアクセスする。
【０１１２】
ステップＳ１２４において、サーバ２３０の画像管理部２６３は、ユーザ端末２４０からのアクセスに応じて、対応する動画データを読み出し、ネットワーク２５０を介してユーザ端末２４０に送信する。ステップＳ１２５において、ユーザ端末２４０のＣＰＵは、サーバ２３０から動画データを受信し、表示画面に出力（再生、表示）する。
【０１１３】
ステップＳ１２２において、ユーザ端末２４０のＣＰＵは、ステップＳ１２１で読み取ったコードの内容がメッセージを示すものであると判定した場合、ステップＳ１２６に進む。ステップＳ１２６において、ユーザ端末２４０のＣＰＵは、コードに対応するメッセージを読み出し、表示画面に出力（再生、表示）する。なお、ユーザ端末５０には、専用アプリケーションがインストールされており、メッセージとメッセージを示すコードが予め対応付けられて記憶されている。
【０１１４】
［本発明の第２の実施の形態における効果］
１．乗り物内の各座席に設置された動画撮影装置で撮影された動画データから静止画像を切り出すことにより、静止画像のプリントサービスを提供することができる。
２．また動画データの保管場所を示すデータをコード化し、プリント選択された静止画像に電子透かしとして埋め込むことで、または、選択されたメッセージに対応するコードをプリント選択された静止画像に電子透かしとして埋め込むことで、印刷物に付加価値情報を加味することができる。
３．利用者は、印刷物上の電子透かしを読み取ることにより、読み取ったコードが示すＵＲＬにアクセスし、動画データを取得し、出力することができる。また、利用者は、読み取ったコードに対応するメッセージを取得し、出力することもできる。
【０１１５】
以上、添付図面を参照しながら、本発明に係る画像出力システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１６】
１１………入口端末
１２………ＩＣカード発行装置
２１−１乃至２１−ｎ………ＩＣカード読取装置
２２−１乃至２２−ｎ………撮影端末
２３−１乃至２３−ｎ………撮影装置
３１………ＩＣカード読取装置
３２………画像出力装置
４０………サーバ
５０………ユーザ端末
１６１………画像取得部
１６２………表示制御部
１６３………画像受付部
１６４………メッセージ受付部
１８１………入力制御部
１８２………画像管理部
１８３………コード化部
２０１………センサ
２１２−１乃至２１２−ｎ………動画撮影装置
２２１………画像出力装置
２３０………サーバ
２４０………ユーザ端末
２６１………入力制御部
２６２………静止画像切り出し部
２６３………画像管理部
２６４………コード化部
【図１】
0005953957.tif 000002
【図２】
0005953957.tif 000003
【図３】
0005953957.tif 000004
【図４】
0005953957.tif 000005
【図５】
0005953957.tif 000006
【図６】
0005953957.tif 000007
【図７】
0005953957.tif 000008
【図８】
0005953957.tif 000009
【図９】
0005953957.tif 000010
【図１０】
0005953957.tif 000011
【図１１】
0005953957.tif 000012
【図１２】
0005953957.tif 000013
【図１３】
0005953957.tif 000014
【図１４】
0005953957.tif 000015
【図１５】
0005953957.tif 000016
【図１６】
0005953957.tif 000017
【図１７】
0005953957.tif 000018